(57)【要約】【課題】  最初に外力を加えれば、長時間回転することの出来る動力装置を提供する。【解決手段】  下回転動力軸４０の上端部に下円形鋼板４１を固定し、下円形鋼板の上に２つの偶力受止突起１５を設け、交差角を有する両端腕部を有するスプリング１の中央胴部を両突起に係止し、Ｌ字状をした中間部材１０の基片部１０ａをスプリングの腕部１ａ，１ｂに嵌合固定し、中間部材の腕片部１０ｂにＬ形バネ１１の下部分１１ａを固着し、中間部材の腕片部に取付けたところのバネにキャスター１２を介して鋼球ボール１３を配置し、下円形鋼板の外周縁近くに立設した数本の鋼鉄支柱２を植設固着し、鋼鉄支柱の上部に上円形鋼板３１の縦孔４３を嵌め、スプリングの両腕部を起こして鋼球ボールを上円形鋼板の下面に当接させ、上円形鋼板上に上回転動力軸３０を固着立設したものである。【選択図】    図１
0003167734.tif 000002
【実用新案登録請求の範囲】
【請求項１】
制動装置（４４）及び下軸受（４２）に挿通支承した下回転動力軸（４０）の上端部に下円形鋼板（４１）を固定し、下円形鋼板（４１）の上に２つの偶力受止突起（１５，１５）を設け、交差角を有する両端腕部（１ａ，１ｂ）を有するスプリング（１）の中央胴部を突起（１５，１５）に係止し、Ｌ字状をした中間部材（１０，１０）の基片部（１０ａ）をスプリング（１）の腕部に嵌合固定し、中間部材（１０）の腕片部（１０ｂ）にＬ形バネ（１１）の下部分（１１ａ）を固着し、伸縮可能な遠心力止め連結部材（９）を両中間部材の間に架設し、下部分（１１ａ）をスライド位置調節可能に中間部材の腕片部（１０ｂ）に取付けたところのバネ（１１，１１）の上辺部（１１ｂ）にキャスター（１２，１２）を介して鋼球ボール（１３，１３）を配置し、下円形鋼板（４１）の外周縁近くに立設した数本の鋼鉄支柱（２）を植設固着し、鋼鉄支柱（２）の上部に切ったネジ部（２ａ）に位置決めナット（３）を螺合して上円形鋼板（３１）の縦孔（４３）に嵌め、更に締付ナット（４）を螺合し、スプリングの両腕部を起こして鋼球ボールを上円形鋼板の下面に当接させ、上円形鋼板上に上回転動力軸（３０）を固着立設し、上回転動力軸に対し軸方向位置調整可能な止軸受（３２）を配置した回転動力軸装置。
【考案の詳細な説明】
【技術分野】
【０００１】
この考案は、最初に外力を加えておくと、その外力を取除いても長時間回転することの出来る回転動力軸装置に関するものである。
【背景技術】
【０００２】
最初に外力を加えれば、その外力を取除いても回転する装置として、例えばぜんまい式時計があげられる。
【０００３】
物質を構成する微粒子を分子とよんでいる。分子は、温度が下がれば、分子の運動はより強く制限されて固体となる。しかし、その場合でも、独立した分子は存在するが、分子同士の間では強い化学結合力は認められず、分子が凝集しているのは、化学結合力とくらべるといちじるしく弱い力のファン・デル・ワールス力によることが多い。したがって、このような場合も分子からなる物質である。分子はあまり近づくと反発する力を及ぼし合うが、少し離れたときは互いに引力を及ぼし合う。分子間の距離が小さくなればなるほど反発力は急激に増大することになる。分子間は化学結合によらず、分子間力で結ばれているので、その力はきわめてゆるい。
【０００４】
分子間の距離が小さくなればなるほど反発力は急激に増大することになるとあるが、二つの分子間の距離が小さくなるためには分子と分子が近づく。したがって、その反発力を押して、引力が次第に増大することになる。そこには、微小的距離の引力の加速力が永久に発生していることになる。そしてある位置で二つ或いは複数の分子の引力と反発力が釣り合って静止状態に見えるだけである。地球内部の熱膨張エネルギーと引力（重力）エネルギーが釣り合っているのと同じようなものである。
【０００５】
弾性には、体積の変化に対しておこる体積弾性と、形の変化に対しておこる形状弾性がある。ばねの弾力などは、おもに形状弾性によっておこる。固体では形状弾性と体積弾性がともにおこり、両方がいっしょになって現われる場合が多い。棒や板を曲げると、板の外側の面は伸びて内側の面は縮むが、その中間の面は曲がるだけで伸縮がない。棒や針金の一端を固定して、他端に偶力を加えてねじった場合のねじれ変形で、断面が円でない場合には、ねじり剛性は複雑である。また、棒の中の多数の微小粒子間の作用と反作用とが抵抗している。
【考案の概要】
【考案が解決しようとする課題】
【０００６】
従来のぜんまい式のもの等に比べて、長時間回転することの出来る動力装置を提供しようとするものである。
【課題を解決するための手段】
【０００７】
図１乃至図４を参考にして説明する。この考案に係る回転動力軸装置は、制動装置４４及び挿通支承した下回転動力軸４０の上端部に下円形鋼板４１を固定している。
【０００８】
下円形鋼板４１の上に２つの偶力受止突起１５，１５を設け、交差角を有する両端腕部１ａ，１ｂを有するスプリング１の中央胴部を両突起１５，１５に係止し、Ｌ字状をした２つの中間部材１０，１０の基片部１０ａをスプリング１の腕部１ａ，１ｂに嵌合固定している。
【０００９】
中間部材１０の腕片部１０ｂにＬ形バネ１１の下部分１１ａを固着し、伸縮可能な遠心力止め連結部材９を両中間部材１０，１０の間に架設し、下部分１１ａをスライド位置調節可能に中間部材１０の腕片部１０ｂに取付けたところのバネ１１，１１の上辺部１１ｂにキャスター１２を介して鋼球ボール１３を配置している。
【００１０】
下円形鋼板４１の外周縁近くに数本の鋼鉄支柱２を植設固着し、鋼鉄支柱２の上部に切ったネジ部２ａに位置決めナット３を螺合して上円形鋼板３１の縦孔４３を嵌め、更に締付ナット４を螺合し、スプリング１の両腕部１ａ，１ｂを起こして鋼球ボール１３を上円形鋼板３１の下面に当接させ、上円形鋼板３１上に上回転動力軸３０を固着立設し、上回転動力軸３０に対し軸方向位置調整可能な止軸受３２を配置したものである。
【考案の効果】
【００１１】
スプリング１の両端の腕部１ａ，１ｂが上部で固定した中間部材１０，１０の上部分に固定されたバネ１１，１１の表面に直角にかけ続けているところの偶力の外力を解除しても上方から降下する上円形鋼板３１から２箇所のキャスター１２，１２を挟んでのバネ１１，１１の上部分にかかる偶力ではない圧縮外力のはたらきでバネ１１，１１の下部分（外力の偶力を最初から継続してかけ続けられていた部分）は押され元の状態に応力で返ろうとする。
【００１２】
弾性体に外力が作用するときその外力に抵抗して弾性体に抵抗して弾性体にそのままの形を保とうとして生ずる内力（応力）は反作用の力である。応力は分子の組成が高熱とかで変化しない限り半永久的に続く。分子はあまり近づくと反発する力を及ぼし合うが少し離れたときには互いに分子間の引力を半永久的に及ぼし合う。その結果バネ１１，１１の下部分（スプリング１の両端の腕部１ａ，１ｂの上部分で固定されたＬ字形に曲げられている中間部材１０，１０の上部）に偶力を新たに生み出す。
【００１３】
制動装置４４のブレーキが解放され下回転動力軸４０が回転を始める状態の図２と図３のＣの状態にあるように上下の円形鋼板３１，４１からの圧縮外力以外の外力（偶力）を解消すれば、スプリング１の下部は元の状態に応力弾性力で返ろうとするために偶力受止突起１５，１５に対し偶力をそして上下の円形鋼板３１，４１と固定され一体化した上下の回転動力軸３０，４０に半永久的に回転力を発生する。
【図面の簡単な説明】
【００１４】
【図１】装置の初期状態の一部分解斜視図である。
【図２】装置全体の斜視図である。
【図３】バネの作動説明図である。
【図４】一部を変形した要部の鉛直切断拡大正面図である。
【考案を実施するための形態】
【００１５】
図を参考にして説明する。図１及び図３の行程段階Ａの状態では、下回転動力軸４０の回転力を制御する制動装置４４はまだ作動中の状態であり、下回転動力軸４０と下円形鋼板４１は固定され、その下円形鋼板４１に固定された左右２箇所の偶力受止突起１５，１５に対してそれに接触するスプリング１の中央胴部の両端へ偶力の外部からの外力Ｐをかける。
【００１６】
同様同時にスプリング１の両端の腕部１ａ，１ｂに被せたＬ字形の鋼管１０ａと固定した鋼鉄棒１０ｂよりなる中間部材１０，１０の上部に固定されたバネ１１，１１の下部分である基片部１１ａの表面上に直角し、且つもう一方の上片部１１ｂと平行な偶力の外力Ｐを図３のＣの状態になるまでかけ続ける。そして最終は図２のようになる。
【００１７】
図１の上方にある中心に上回転動力軸３０を固定した上円形鋼板３１をそれに平行した下部の下円形鋼板４１を固定した４箇所の鋼鉄支柱２の一部にあるネジ部２ａとそれを締める上下のナット４，３によって間にある上円形鋼板３１を下方へ移動させて上下の円形鋼板３１，４１を近付ける。
【００１８】
上円形鋼板３１の４箇所は中空の縦孔４３となっており、その中を４本の鋼鉄支柱２の上部分のネジ部２ａが通る。
【００１９】
バネ１１の上片部１１ｂの平坦な表面上へ固定されたキャスター１２を挟んで上円形鋼板３１の上の締付ナット４を締めることによって徐々に下降させてバネ１１，１１の上方に固定されたキャスター１２，１２と平行或は水平な状態となるように下げて上方からの図３のＣの状態の位置での外力と同じ力の外力Ｐａをかけることとする。Ｒは反力（ただし、Ｐ＝Ｐａ＝Ｒ）、Ｐｂは外力Ｐａの垂直方向成分、Ｐｃは外力Ｐａの水平方向成分である。
【００２０】
平行する上下の円形鋼板３１，４１の間では、継続して下部の偶力受止突起１５，１５へかけられた横方向の外力の偶力とは違う垂直の縦方向の圧縮圧力の外力をスプリング１及びバネ１１，１１に対してかけることにする。
【００２１】
図３でのＡの行程段階では制作時に曲げられたスプリング１の角度は９０度であるが対なので１８０度となる。
【００２２】
スプリング１の角度は制作時にそれが持っている弾性力の強弱によって、バネ１１の曲げられている角度と強度とに程良く釣り合わなければ上下の円形鋼板３１，４１に固定した上下の回転動力軸３０，４０の回転力を有効的に引き出すことは出来ない。
【００２３】
従って制作時にスプリング１の弾性体としての弾力が弱ければ対で行程段階Ａの１８０度以上、強ければ対で行程段階Ｂの９０度の角度でも良い。そして、同様にバネ１１も上方からの外力がかけられる前段階の図３のＡとＢの状態では９０度であるがそれ以上又以下の角度であっても良い。
【００２４】
スプリング１とバネ１１を一体化したものを上下の円形鋼板３１，４１内に組み入れるとき、あらかじめ曲げて製造したスプリング１とバネ１１の角度と弾性力が最適な状態で間に挟まれたキャスター１２が上下の円形鋼板３１，４１と平行な水平状態で保持される必要があり、どちらかが強くても或は弱くてもいけない。
【００２５】
図２と図３のようにＡから始まりＢ、そして最終段階のＣの状態になるとスプリング１の両端の腕部１ａ，１ｂが上部で固定した鋼鉄棒よりなる中間部材１０の上部分に固定されたバネ１１の表面に直角にかけ続けているところの偶力の外力を解除しても上方から降下する上円形鋼板３１から２箇所のキャスター１２，１２を挟んでのバネ１１，１１の上部分にかかる偶力ではない圧縮外力のはたらきでバネ１１の下部分（外力の偶力を最初から継続してかけ続けられていた部分）は押され元の状態に応力で返ろうとするが戻れない。
【００２６】
弾性体に外力が作用するときその外力に抵抗して弾性体に抵抗して弾性体にそのままの形を保とうとして生ずる内力（応力）は反作用の力である。応力は分子の組成が高熱とかで変化しない限り半永久的に続く。分子はあまり近づくと反発する力を及ぼし合うが少し離れたときには互いに分子間の引力を半永久的に及ぼし合う。
【００２７】
その結果バネ１１の下部分（スプリング１の両端の腕部１ａ，１ｂの上部分で固定されたＬ字形に曲げられている中間部材１０の上部）に偶力を新たに生み出すことになる。
【００２８】
制動装置４４のブレーキが解放され下回転動力軸４０が回転を始める状態の図３のＣ及び図２の状態にあるように上下の円形鋼板３１，４１からの圧縮外力以外の外力（偶力）を解消すれば、スプリング１の下部は元の状態に応力弾性力で返ろうとするために偶力受止突起１５，１５に対し偶力をそして上下の円形鋼板３１，４１と固定され一体化した上下の回転動力軸３０，４０に半永久的に回転力を発生する。
【００２９】
上下の円形鋼板４１，３１の中心部に上下の回転動力軸４０，３０を固定して上下の軸受４２，３２で支える。
【００３０】
スプリング１の上部分は始めの偶力の外力をかけた元の方向へ同じ力の偶力（弾性力応力）で返ろうとするが、円形鋼板３１，４１の上下からの縦方向の外力圧力によってスプリング１の上部分で固定されたバネ１１の下部は縦方向と元の外力をかけた方向へ返ろうとする弾性力の反対の新しく生じた同等の偶力を同時に受ける。
【００３１】
スプリング１の上部分に固定されたバネ１１の下部にかける偶力の外力を解消すると同時にそれとまったく同等の偶力をバネ１１の上部へ固定されたキャスター１２を間に挟み上下の円形鋼板３１，４１を狭めることによって同じはたらきをする外力の偶力をバネ１１，１１の下部分にかけることが出来る。
【００３２】
従って、スプリング１の下部（偶力受止突起１５，１５）で発生する偶力とスプリング１の上部（バネ１１，１１の下部）で発生する偶力は同じであるが、上部で発生する２つの相対した偶力は互いを打ち消し合う状態にする。
【００３３】
もしそこでバネ１１の上部はキャスター１２を固定したままスプリング１の下部の両端にかかる偶力の反対方向の偶力をもって偶力の外力をかける前の状態（図１と図３のＡ）に弾性力で返ろうとしても間に圧縮圧力の外力を上下の円形鋼板３１，４１から受けたキャスター１２があるため絶対に返ることは出来ない。
【００３４】
圧縮圧力の外力の作用反作用の方向は上下の回転動力軸３０，４０と平行しているので、その回転力の妨げにならない。
【００３５】
中間部材１０，１０のＬ字形に曲げた角度は上下の円形鋼板３１，４１の間で最も効率の良い回転動力軸３０，４０の回転力を生み出す角度が好ましい。図３では、９０度であるが、１３５度前後のへ字形からＬ字形の９０度の間で曲げた角度も良い。
【００３６】
スプリング１は図１，図２では棒バネだが、コイル状スプリングか板状スプリングでも可能である。バネ１１は図１，図２では板バネだが、コイルバネでも可能である。
【００３７】
図３の行程段階Ｂ，Ｃをみれば応力弾力で元に返ろうとしても上下の円形鋼板３１，４１に挟まれているために図２の４本の鋼鉄支柱２の上方の締付ナット４を緩めない限り、そして下部では偶力受止突起１５，１５で阻まれているので、前進や後退も出来ない。
【００３８】
しかしながら、スプリング１とバネ１１を一体化して独立した物体は静止でもそれを組み込んだ上下の円形鋼板３１，４１と回転動力軸３０，４０の本体は静止状態のままではなくスプリング１に偶力の外力をかけ始めた時点から回転動力軸３０，４０の回転力を制止した制動装置４４は継続して作動中なのでブレーキを解除すれば、偶力受止突起１５，１５では継続して回転力を受け続けているので上下の円形鋼板３１，４１に固定されている回転動力軸３０，４０はただちに回転出来る状態になる。
【００３９】
あらゆる物質物体を構成している分子は半永久的に反発力か引力を継続的に発生しているので、回転動力軸３０，４０に負荷がかからなければ加速力がつき回転数，回転力ともに高まるために一定置きに絶えず制動装置４４で制御しなければならない。
【００４０】
上下の円形鋼板３１，４１とバネ１１の上部とキャスター１２が平行な状態になるようにスプリング１とバネ１１の強度と角度を計算して製造することが必要である。
【００４１】
中間部材１０のＬ字形の上部の腕片部１０ｂとバネ１１の下部分１１ａを固定する部分はスプリング１とバネ１１を釣り合わせる微調節のためにスライド形式として板バネ１１の下部分１１ａに設けた長孔１１ｃを、中間部材１０の腕片部１０ｂに植設したスタッド１０ｃに通し、ナット１０ｄで締付けて中間部材１０にバネ１１を固定する。
【００４２】
また、図１，図２では下部分１１ａの下端縁に下に向かって延設配置したネジ棒１１ｅを腕片部１０ｂに設けた目玉具１０ｅに通しナット１１ｆで固定しているが、図４のものでは長孔１１ｃに２本のスタッド１０ｃ，１０ｃを通し、ナット１０ｄ，１０ｄで締付けている。
【００４３】
同様にバネ１１の上辺部１１ｂに設けた透孔１１ｄにキャスターケース１２ａに植設した２本のスタッド１２ｂを通し、ナット１２ｃで締付けてキャスターケース１２ａにバネ１１を固定する。
【００４４】
上円形鋼板３１の下面には、上鋼球７ａを載せた受皿３１ａが配置され、受皿３１ａを下から支持する保持具３１ｂが上円形鋼板３１の下面に固定されている。キャスターケース１２ａの上向き開口凹穴内には下鋼球７ｃを配してキャスター１２が抜止め不能に装着され、キャスター１２の上向き開口凹穴内には中鋼球７ｂを介して鋼球ボール１３が配置され、鋼球ボール１３は上受皿３１ａの下面に接触している。
【００４５】
バネ１１の上部の上片部１１ｂに固定されたキャスター１２の鋼球ボール１３は上下の円形鋼板３１，４１から受ける上下からの強力な圧力と摩擦力で上円形鋼板３１の裏面の表面上に接する一定位置に前進や後退も出来ずに保定され静止して円形鋼板４１の上の偶力受止突起１５，１５が受ける偶力の横方向へ一体化して連動回転する。
【００４６】
回転力以上の制動力が回転動力軸３０，４０にはたらけば、回転は止められる。
【００４７】
巨大な摩擦力を受けてもキャスター１２の内部にある鋼球ボール１３はスプリング１とバネ１１の釣り合いを調節するために一時だけ自由自在に回転出来て円形鋼板３１や回転動力軸３０，４０の回転力にマイナスの影響を及ぼさない。そのためには、キャスター１２の内部にある鋼球ボールは三重四重形式も必要である。
【００４８】
しかし、マイナスの影響がまったく生じないのならばむしろ摩擦力は必要なものでキャスター１２は不要となりバネ１１の上部は直接にその上部にある円形鋼板３１の裏面に接するだけで同様に回転動力軸３０，４０を回転させる。
【００４９】
中間部材１０の上部に固定されるバネ１１の下部分はスライド形式なので、上下の円形鋼板３１，４１とバネ１１，１１の上面が平行な水平状態をつくるためにてこの原理でスプリング１とバネ１１，１１の弾力の微調節をする。
【００５０】
最始動時に図２で偶力受止突起１５，１５は継続して偶力を受けたまま制動装置４４の制動力を解放する直前に遠心力止め螺筒１６と螺棒状の伸縮連携部材９を連結して回転運動中にスプリング１の両端部と左右のバネ１１，１１が遠心力で開いてしまわないようにする。開くとスプリング１とバネ１１，１１及び全体のバランスが崩れて損傷や回転動力軸３０，４０を止めることがあるので上下２箇所程必要なこともある。
【００５１】
回転運動中は危険なので上下の軸受３２，４２と制動装置４４にカバー８を取付けて一体化してこの回転動力軸装置を設置する。
【００５２】
下部の一部が鋼管或は全体が鋼鉄棒の中間部材１０，１０のＬ字形に１３５度前後から９０度で曲がった所は上下からの圧力に弱いので製造時に補強片１４，１４によって補強する。スプリング１とバネ１１，１１は弾力の大きいものを使用すれば回転動力軸３０，４０の回転力は高められる。このようにして取り出したエネルギーは再び物質物体内に取り込められる。
【産業上の利用可能性】
【００５３】
本考案に係る回転動力装置は、自動車や家庭用発電機に適用することが出来る。
【符号の説明】
【００５４】
１        スプリング
１ａ      腕部
１ｂ      腕部
２        鋼鉄支柱
２ａ      ネジ部
３        位置決めナット部
４        締付ナット
７ａ      上鋼球
７ｂ      中鋼球
７ｃ      下鋼球
８        カバー
９        伸縮連結部材
１０      中間部材
１０ａ    基片部
１０ｂ    腕片部
１０ｃ    スタッド
１０ｄ    ナット
１０ｅ    目玉具
１１      バネ
１１ａ    下部分
１１ｂ    上片部
１１ｃ    長孔（下）
１１ｄ    透孔（上）
１１ｅ    ネジ棒
１１ｆ    ナット
１２      キャスター
１２ａ    キャスターケース
１２ｂ    スタッド
１２ｃ    ナット
１３      鋼球ボール
１４      補強片
１５      偶力受止突起
１６      遠心力止め螺筒
３０，４０  上下の回転動力軸
３１，４１  上下円形鋼板
３１ａ    受皿
３１ｂ    保持具
３２，４２  上下軸受
４３      縦孔
４４      制動装置
Ｐ        外力
Ｐａ      上方からの外力
【図１】
0003167734.tif 000003
【図２】
0003167734.tif 000004
【図３】
0003167734.tif 000005
【図４】
0003167734.tif 000006
【手続補正書】
【提出日】平成23年3月4日(2011.3.4)
【手続補正１】
【補正対象書類名】明細書
【補正対象項目名】全文
【補正方法】変更
【補正の内容】
【考案の詳細な説明】
【技術分野】
【０００１】
この考案は、最初に外力を加えておくと、その外力を取除いても長時間回転することの出来る回転動力軸装置に関するものである。
【背景技術】
【０００２】
最初に外力を加えれば、その外力を取除いても回転する装置として、例えばぜんまい式時計があげられる。
【０００３】
物質を構成する微粒子を分子とよんでいる。分子は、温度が下がれば、分子の運動はより強く制限されて固体となる。しかし、その場合でも、独立した分子は存在するが、分子同士の間では強い化学結合力は認められず、分子が凝集しているのは、化学結合力とくらべるといちじるしく弱い力のファン・デル・ワールス力によることが多い。したがって、このような場合も分子からなる物質である。分子はあまり近づくと反発する力を及ぼし合うが、少し離れたときは互いに引力を及ぼし合う。分子間の距離が小さくなればなるほど反発力は急激に増大することになる。分子間は化学結合によらず、分子間力で結ばれているので、その力はきわめてゆるい。
【０００４】
分子間の距離が小さくなればなるほど反発力は急激に増大することになるとあるが、二つの分子間の距離が小さくなるためには分子と分子が近づく。したがって、その反発力を押して、引力が次第に増大することになる。そこには、微小的距離の引力の加速力が永久に発生していることになる。そしてある位置で二つ或いは複数の分子の引力と反発力が釣り合って静止状態に見えるだけである。地球内部の熱膨張エネルギーと引力（重力）エネルギーが釣り合っているのと同じようなものである。
【０００５】
弾性には、体積の変化に対しておこる体積弾性と、形の変化に対しておこる形状弾性がある。ばねの弾力などは、おもに形状弾性によっておこる。固体では形状弾性と体積弾性がともにおこり、両方がいっしょになって現われる場合が多い。棒や板を曲げると、板の外側の面は伸びて内側の面は縮むが、その中間の面は曲がるだけで伸縮がない。棒や針金の一端を固定して、他端に偶力を加えてねじった場合のねじれ変形で、断面が円でない場合には、ねじり剛性は複雑である。また、棒の中の多数の微小粒子間の作用と反作用とが抵抗している。
【考案の概要】
【考案が解決しようとする課題】
【０００６】
従来のぜんまい式のもの等に比べて、長時間回転することの出来る動力装置を提供しようとするものである。
【課題を解決するための手段】
【０００７】
図１乃至図４を参考にして説明する。この考案に係る回転動力軸装置は、制動装置４４及び挿通支承した下回転動力軸４０の上端部に下円形鋼板４１を固定している。
【０００８】
下円形鋼板４１の上に２つの偶力受止突起１５，１５を設け、交差角を有する両端腕部１ａ，１ｂを有するスプリング１の中央胴部を両突起１５，１５に係止し、Ｌ字状をした２つの中間部材１０，１０の基片部１０ａをスプリング１の腕部１ａ，１ｂに嵌合固定している。
【０００９】
中間部材１０の腕片部１０ｂにＬ形バネ１１の下部分１１ａを固着し、伸縮可能な遠心力止め連結部材９を両中間部材１０，１０の間に架設し、下部分１１ａをスライド位置調節可能に中間部材１０の腕片部１０ｂに取付けたところのバネ１１，１１の上辺部１１ｂにキャスター１２を介して鋼球ボール１３を配置している。
【００１０】
下円形鋼板４１の外周縁近くに数本の鋼鉄支柱２を植設固着し、鋼鉄支柱２の上部に切ったネジ部２ａに位置決めナット３を螺合して上円形鋼板３１の縦孔４３を嵌め、更に締付ナット４を螺合し、スプリング１の両腕部１ａ，１ｂを起こして鋼球ボール１３を上円形鋼板３１の下面に当接させ、上円形鋼板３１上に上回転動力軸３０を固着立設し、上回転動力軸３０に対し軸方向位置調整可能な止軸受３２を配置したものである。
【考案の効果】
【００１１】
スプリング１の両端の腕部１ａ，１ｂが上部で固定した中間部材１０，１０の上部分に固定されたバネ１１，１１の表面に直角にかけ続けているところの偶力の外力を解除しても上方から降下する上円形鋼板３１から２箇所のキャスター１２，１２を挟んでのバネ１１，１１の上部分にかかる偶力ではない圧縮外力のはたらきでバネ１１，１１の下部分（外力の偶力を最初から継続してかけ続けられていた部分）１１ａは押され元の状態に応力で返ろうとするが返れない。
【００１２】
弾性体に外力が作用するときその外力に抵抗して弾性体に抵抗して弾性体にそのままの形を保とうとして生ずる内力（応力）は反作用の力である。応力は分子の組成が高熱とかで変化しない限り半永久的に続く。分子はあまり近づくと反発する力を及ぼし合うが少し離れたときには互いに分子間の引力を半永久的に及ぼし合う。その結果バネ１１，１１の下部分（スプリング１の両端の腕部１ａ，１ｂの上部分で固定されたＬ字形に曲げられている中間部材１０，１０の上部）に偶力を新たに生み出す。
【００１３】
制動装置４４のブレーキが解放され下回転動力軸４０が回転を始める状態の図２と図３のＣの状態にあるように上下の円形鋼板３１，４１からの圧縮外力以外の外力（偶力）を解消すれば、スプリング１の下部は元の状態に応力弾性力で返ろうとするために偶力受止突起１５，１５に対し偶力をそして上下の円形鋼板３１，４１と固定され一体化した上下の回転動力軸３０，４０に半永久的に回転力を発生する。
【図面の簡単な説明】
【００１４】
【図１】装置の初期状態の一部分解斜視図である。
【図２】装置全体の斜視図である。
【図３】バネの作動説明図である。
【図４】一部を変形した要部の鉛直切断拡大正面図である。
【考案を実施するための形態】
【００１５】
図を参考にして説明する。図１，図２及び図３の行程段階Ａ．Ｂ．Ｃの状態では、下回転動力軸４０の回転力を制御する制動装置４４はまだ作動中の状態であり、下回転動力軸４０と下円形鋼板４１は固定され、その下円形鋼板４１に固定された左右２箇所の偶力受止突起１５，１５に対してそれに接触するスプリング１の中央胴部の両端へ偶力の外部からの外力Ｐをかける。
【００１６】
同様同時にスプリング１の両端の腕部１ａ，１ｂに被せたＬ字形の鋼管１０ａと固定した鋼鉄棒１０ｂよりなる中間部材１０，１０の上部に固定されたバネ１１，１１の下部分である基片部１１ａの表面上に直角し、且つもう一方の上片部１１ｂと平行な偶力の外力Ｐを図３のＣの状態になるまでかけ続ける。そして最終は図２のようになる。
【００１７】
図１の上方にある中心に上回転動力軸３０を固定した上円形鋼板３１をそれに平行した下部の下円形鋼板４１を固定した４箇所の鋼鉄支柱２の一部にあるネジ部２ａとそれを締める上下のナット４，３によって間にある上円形鋼板３１を下方へ移動させて上下の円形鋼板３１，４１を近付ける。
【００１８】
上円形鋼板３１の４箇所は中空の縦孔４３となっており、その中を４本の鋼鉄支柱２の上部分のネジ部２ａが通る。
【００１９】
バネ１１の上片部１１ｂの平坦な表面上へ固定されたキャスター１２を挟んで上円形鋼板３１の上の締付ナット４を締めることによって徐々に下降させてバネ１１，１１の上方に固定されたキャスター１２，１２と平行或は水平な状態となるように下げて上方からの図３のＣの状態の位置での外力と同じ力の外力Ｐａをかけることとする。Ｒは反力（ただし、Ｐ＝Ｐａ＝Ｒ）、Ｐｂは外力Ｐａの垂直方向成分、Ｐｃは外力Ｐａの水平方向成分である。
【００２０】
平行する上下の円形鋼板３１，４１の間では、継続して下部の偶力受止突起１５，１５へかけられた横方向の外力の偶力とは違う垂直の縦方向の圧縮圧力の外力をスプリング１及びバネ１１，１１に対してかけることにする。
【００２１】
図３でのＡの行程段階では制作時に曲げられたスプリング１の角度は９０度であるが対なので１８０度となる。
【００２２】
スプリング１の角度は制作時にそれが持っている弾性力の強弱によって、バネ１１の曲げられている角度と強度とに程良く釣り合わなければ上下の円形鋼板３１，４１に固定した上下の回転動力軸３０，４０の回転力を有効的に引き出すことは出来ない。
【００２３】
従って制作時にスプリング１の弾性体としての弾力が弱ければ対で行程段階Ａの１８０度以上、強ければ対で行程段階Ｂの９０度の角度でも良い。そして、同様にバネ１１も上方からの外力がかけられる前段階の図３のＡとＢの状態では９０度であるがそれ以上又以下の角度であっても良い。
【００２４】
スプリング１とバネ１１を一体化したものを上下の円形鋼板３１，４１内に組み入れるとき、あらかじめ曲げて製造したスプリング１とバネ１１の角度と弾性力が最適な状態で間に挟まれたキャスター１２が上下の円形鋼板３１，４１と平行な水平状態で保持される必要があり、どちらかが強くても或は弱くてもいけない。
【００２５】
図２と図３のようにＡから始まりＢ、そして最終段階のＣの状態になるとスプリング１の両端の腕部１ａ，１ｂが上部で固定した鋼鉄棒よりなる中間部材１０の上部分に固定されたバネ１１の表面に直角にかけ続けているところの偶力の外力を解除しても上方から降下する上円形鋼板３１から２箇所のキャスター１２，１２を挟んでのバネ１１，１１の上部分にかかる偶力ではない圧縮外力のはたらきでバネ１１の下部分（外力の偶力を最初から継続してかけ続けられていた部分）は押され元の状態に応力で返ろうとするが戻れない。
【００２６】
弾性体に外力が作用するときその外力に抵抗して弾性体に抵抗して弾性体にそのままの形を保とうとして生ずる内力（応力）は反作用の力である。応力は分子の組成が高熱とかで変化しない限り半永久的に続く。分子はあまり近づくと反発する力を及ぼし合うが少し離れたときには互いに分子間の引力を半永久的に及ぼし合う。
【００２７】
その結果バネ１１の下部分（スプリング１の両端の腕部１ａ，１ｂの上部分で固定されたＬ字形に曲げられている中間部材１０の上部）に偶力を新たに生み出すことになる。
【００２８】
制動装置４４のブレーキが解放され下回転動力軸４０が回転を始める状態の図３のＣ及び図２の状態にあるように上下の円形鋼板３１，４１からの圧縮外力以外の外力（偶力）を解消すれば、スプリング１の下部は元の状態に応力弾性力で返ろうとするために偶力受止突起１５，１５に対し偶力をそして上下の円形鋼板３１，４１と固定され一体化した上下の回転動力軸３０，４０に半永久的に回転力を発生する。
【００２９】
上下の円形鋼板４１，３１の中心部に上下の回転動力軸４０，３０を固定して上下の軸受４２，３２で支える。
【００３０】
スプリング１の上部分は始めの偶力の外力をかけた元の方向へ同じ力の偶力（弾性力応力）で返ろうとするが、円形鋼板３１，４１の上下からの縦方向の外力圧力によってスプリング１の上部分で固定されたバネ１１の下部は縦方向と元の外力をかけた方向へ返ろうとする弾性力の反対の新しく生じた同等の偶力を同時に受ける。
【００３１】
スプリング１の上部分に固定されたバネ１１の下部にかける偶力の外力を解消すると同時にそれとまったく同等の偶力をバネ１１の上部へ固定されたキャスター１２を間に挟み上下の円形鋼板３１，４１を狭めることによって同じはたらきをする外力の偶力をバネ１１，１１の下部分にかけることが出来る。
【００３２】
従って、スプリング１の下部（偶力受止突起１５，１５）で発生する偶力とスプリング１の上部（バネ１１，１１の下部）で発生する偶力は同じであるが、上部で発生する２つの相対した偶力は互いを打ち消し合う状態にする。
【００３３】
もしそこでバネ１１の上部はキャスター１２を固定したままスプリング１の下部の両端にかかる偶力の反対方向の偶力をもって偶力の外力をかける前の状態（図１と図３のＡ）に弾性力で返ろうとしても間に圧縮圧力の外力を上下の円形鋼板３１，４１から受けたキャスター１２があるため絶対に返ることは出来ない。
【００３４】
圧縮圧力の外力の作用反作用の方向は上下の回転動力軸３０，４０と平行しているので、その回転力の妨げにならない。
【００３５】
中間部材１０，１０のＬ字形に曲げた角度は上下の円形鋼板３１，４１の間で最も効率の良い回転動力軸３０，４０の回転力を生み出す角度が好ましい。図３では、９０度であるが、１３５度前後のへ字形からＬ字形の９０度の間で曲げた角度も良い。
【００３６】
スプリング１は図１，図２では棒バネだが、コイル状スプリングか板状スプリングでも可能である。バネ１１は図１，図２では板バネだが、コイルバネでも可能である。
【００３７】
図３の行程段階Ｂ，Ｃをみれば応力弾力で元に返ろうとしても上下の円形鋼板３１，４１に挟まれているために図２の４本の鋼鉄支柱２の上方の締付ナット４を緩めない限り、そして下部では偶力受止突起１５，１５で阻まれているので、前進や後退も出来ない。
【００３８】
しかしながら、スプリング１とバネ１１を一体化して独立した物体は静止でもそれを組み込んだ上下の円形鋼板３１，４１と回転動力軸３０，４０の本体は静止状態のままではなくスプリング１に偶力の外力をかけ始めた時点から回転動力軸３０，４０の回転力を制止した制動装置４４は継続して作動中なのでブレーキを解除すれば、偶力受止突起１５，１５では継続して回転力を受け続けているので上下の円形鋼板３１，４１に固定されている回転動力軸３０，４０はただちに回転出来る状態になる。
【００３９】
あらゆる物質物体を構成している分子は半永久的に反発力か引力を継続的に発生しているので、回転動力軸３０，４０に負荷がかからなければ加速力がつき回転数，回転力ともに高まるために一定置きに絶えず制動装置４４で制御しなければならない。
【００４０】
上下の円形鋼板３１，４１とバネ１１の上部とキャスター１２が平行な状態になるようにスプリング１とバネ１１の強度と角度を計算して製造することが必要である。
【００４１】
中間部材１０のＬ字形の上部の腕片部１０ｂとバネ１１の下部分１１ａを固定する部分はスプリング１とバネ１１を釣り合わせる微調節のためにスライド形式として板バネ１１の下部分１１ａに設けた長孔１１ｃを、中間部材１０の腕片部１０ｂに植設したスタッド１０ｃに通し、ナット１０ｄで締付けて中間部材１０にバネ１１を固定する。
【００４２】
また、図１，図２では下部分１１ａの下端縁に下に向かって延設配置したネジ棒１１ｅを腕片部１０ｂに設けた目玉具１０ｅに通しナット１１ｆで固定しているが、図４のものでは長孔１１ｃに２本のスタッド１０ｃ，１０ｃを通し、ナット１０ｄ，１０ｄで締付けている。
【００４３】
同様にバネ１１の上辺部１１ｂに設けた透孔１１ｄにキャスターケース１２ａに植設した２本のスタッド１２ｂを通し、ナット１２ｃで締付けてキャスターケース１２ａにバネ１１を固定する。
【００４４】
上円形鋼板３１の下面には、上鋼球７ａを載せた受皿３１ａが配置され、受皿３１ａを下から支持する保持具３１ｂが上円形鋼板３１の下面に固定されている。キャスターケース１２ａの上向き開口凹穴内には下鋼球７ｃを配してキャスター１２が抜止め不能に装着され、キャスター１２の上向き開口凹穴内には中鋼球７ｂを介して鋼球ボール１３が配置され、鋼球ボール１３は上受皿３１ａの下面に接触している。
【００４５】
バネ１１の上部の上片部１１ｂに固定されたキャスター１２の鋼球ボール１３は上下の円形鋼板３１，４１から受ける上下からの強力な圧力と摩擦力で上円形鋼板３１の裏面の表面上に接する一定位置に前進や後退も出来ずに保定され静止して円形鋼板４１の上の偶力受止突起１５，１５が受ける偶力の横方向へ一体化して連動回転する。
【００４６】
回転力以上の制動力が回転動力軸３０，４０にはたらけば、回転は止められる。
【００４７】
巨大な摩擦力を受けてもキャスター１２の内部にある鋼球ボール１３はスプリング１とバネ１１の釣り合いを調節するために一時だけ自由自在に回転出来て円形鋼板３１や回転動力軸３０，４０の回転力にマイナスの影響を及ぼさない。そのためには、キャスター１２の内部にある鋼球ボールは三重四重形式も必要である。
【００４８】
しかし、マイナスの影響がまったく生じないのならばむしろ摩擦力は必要なものでキャスター１２は不要となりバネ１１の上部は直接にその上部にある円形鋼板３１の裏面に接するだけで同様に回転動力軸３０，４０を回転させる。
【００４９】
中間部材１０の上部に固定されるバネ１１の下部分はスライド形式なので、上下の円形鋼板３１，４１とバネ１１，１１の上面が平行な水平状態をつくるためにてこの原理でスプリング１とバネ１１，１１の弾力の微調節をする。
【００５０】
最始動時に図２で偶力受止突起１５，１５は継続して偶力を受けたまま制動装置４４の制動力を解放する直前に遠心力止め螺筒１６と螺棒状の伸縮連携部材９を連結して回転運動中にスプリング１の両端部と左右のバネ１１，１１が遠心力で開いてしまわないようにする。開くとスプリング１とバネ１１，１１及び全体のバランスが崩れて損傷や回転動力軸３０，４０を止めることがあるので上下２箇所程必要なこともある。
【００５１】
回転運動中は危険なので上下の軸受３２，４２と制動装置４４にカバー８を取付けて一体化してこの回転動力軸装置を設置する。
【００５２】
下部の一部が鋼管或は全体が鋼鉄棒の中間部材１０，１０のＬ字形に１３５度前後から９０度で曲がった所は上下からの圧力に弱いので製造時に補強片１４，１４によって補強する。スプリング１とバネ１１，１１は弾力の大きいものを使用すれば回転動力軸３０，４０の回転力は高められる。このようにして取り出したエネルギーは再び物質物体内に取り込められる。
【産業上の利用可能性】
【００５３】
本考案に係る回転動力装置は、自動車や家庭用発電機に適用することが出来る。
【符号の説明】
【００５４】
１        スプリング
１ａ      腕部
１ｂ      腕部
２        鋼鉄支柱
２ａ      ネジ部
３        位置決めナット部
４        締付ナット
７ａ      上鋼球
７ｂ      中鋼球
７ｃ      下鋼球
８        カバー
９        伸縮連結部材
１０      中間部材
１０ａ    基片部
１０ｂ    腕片部
１０ｃ    スタッド
１０ｄ    ナット
１０ｅ    目玉具
１１      バネ
１１ａ    下部分
１１ｂ    上片部
１１ｃ    長孔（下）
１１ｄ    透孔（上）
１１ｅ    ネジ棒
１１ｆ    ナット
１２      キャスター
１２ａ    キャスターケース
１２ｂ    スタッド
１２ｃ    ナット
１３      鋼球ボール
１４      補強片
１５      偶力受止突起
１６      遠心力止め螺筒
３０，４０  上下の回転動力軸
３１，４１  上下円形鋼板
３１ａ    受皿
３１ｂ    保持具
３２，４２  上下軸受
４３      縦孔
４４      制動装置
Ｐ        外力
Ｐａ      上方からの外力
【手続補正２】
【補正対象書類名】図面
【補正対象項目名】図１
【補正方法】変更
【補正の内容】
【図１】
0003167734.tif 000007
【手続補正３】
【補正対象書類名】図面
【補正対象項目名】図３
【補正方法】変更
【補正の内容】
【図３】
0003167734.tif 000008